(57)【要約】【課題】  組立て製作の容易な熱線センサ付き自動スイッチを提供する。【解決手段】  人体から発せられる熱線を検知する熱線センサＴＰと、電源から負荷への給電路に挿入され熱線センサの出力に応じてオンオフされるスイッチＳＷと、検知範囲からの熱線を熱線センサＴＰの受光部に集光する集光レンズ３Ａを有するレンズブロック３とを備える。レンズブロック３は集光レンズ３Ａを露出させる窓穴を有するハウジングに、検知範囲を変化させるように回転自在に保持される。レンズブロック３が集光レンズを固定した回転部２Ａと回転保持部３Ａを回転自在に一体に収納したレンズブロック固定部４Ａによってハウジングに固定するだけで簡単に組立てができるため、熱線センサ付き自動スイッチ全体の製造を簡単にすることができる。【選択図】図１
2005135797.tif 000002
【特許請求の範囲】
【請求項１】
人体から発せられる熱線を検知する熱線センサと、電源から負荷への給電路に挿入され熱線センサの出力に応じてオンオフされるスイッチと、検知範囲からの熱線を熱線センサの受光部に集光する集光レンズを有するレンズブロックと、集光レンズを露出させる窓穴を有し検知範囲を変化させるように回転自在にレンズブロックを保持するとともに内部にスイッチと熱線センサとが収納固定されたハウジングとを備えた熱線センサ付き自動スイッチであって、前記レンズブロックが、集光レンズを取着した回転部と、該回転部を所定角度に保持する回転保持部と、これら回転部と回転保持部を内部に回転自在に収納し、かつ前記ハウジングに固定されるレンズブロック固定部からなることを特徴とする熱線センサ付き自動スイッチ。
【請求項２】
前記回転部の外周面と回転保持部の内周面の各々を両者が面接触する球面形状としたことを特徴とする請求項１記載の熱線センサ付き自動スイッチ。
【請求項３】
前記回転保持部にハウジング側へ回転部を押圧するばね部を一体に形成したことを特徴とする請求項１記載の熱線センサ付き自動スイッチ。
【請求項４】
前記回転保持部にばね部の塑性変形防止用の突起を設けたことを特徴とする請求項３記載の熱線センサ付き自動スイッチ。
【発明の詳細な説明】
【技術分野】
【０００１】
本発明は、人体から放射される熱線を検知することにより人の存否を検出し、負荷を制御する熱線センサ付き自動スイッチに関するものである。
【背景技術】
【０００２】
従来から、人体から放射される熱線を検知することにより人の存否を検出する熱線センサを備え、熱線センサの出力に応じて負荷を制御する熱線センサ付き自動スイッチが提供されている（例えば、特許文献１参照）。この種の熱線センサ付き自動スイッチは、例えば負荷を照明とした場合、室内に人が入ったときに照明をオンし、人が室外に退出したときに照明をオフするといった制御に用いられる。
【０００３】
この種の熱線センサ付き自動スイッチとして、例えば図６に示すものが提供されている。この熱線センサ付き自動スイッチは、天井に取り付けられるものであって、天井面に形成される取付穴（図示せず）の周部下面に当接するフランジ部１１とフランジ部１１の図６での上面中央部に突設された筒部１２とを有するボディ１と、下面が開放された有底筒状であって筒部１２に結合して閉塞するカバー２とからなるハウジングを備える。筒部１２の上端には４個の組立片１２ａが突設され、組立片１２ａに貫設した組立穴１２ｂに対してカバー２の下端部の外周面に突設した組立突起２１を係合させることによって、ボディ１とカバー２とは結合する。
【０００４】
ハウジングには、熱線センサＴＰが収納された球状の回転体７と、熱線センサＴＰの出力に応じてオンオフするリレー等からなるスイッチＳＷが実装された第１のプリント配線板Ｐ１と、スイッチＳＷの動作を設定するための切替スイッチ（図示せず）や熱線センサＴＰの感度を設定するための可変抵抗（図示せず）など、手操作されるハンドルを有する素子が実装された第２のプリント配線板Ｐ２とが収納されている。ここで、第２のプリント基板Ｐ２は回転体の上側において実装面を下方へ向けて固定され、ボディ１の下方からハンドルを操作することができるようになっている。また、第１のプリント配線板Ｐ１は第２のプリント基板Ｐ２の上側において実装面を上方へ向けて固定されている。第１のプリント配線板Ｐ１には、スイッチＳＷのほか、それぞれスイッチＳＷと電線（図示せず）とを接続するための３個の端子部６が実装されている。端子部６はいわゆる速結端子であって、スイッチＳＷの両端に電気的に接続された２個の端子板６１と、カバー２に設けられた電線挿通穴２２から挿入された電線をそれぞれ端子板６１との間に鎖錠する２個の鎖錠ばね６２と、カバー２に設けられた解除穴２３から挿入されたマイナスドライバのような治具に押圧されることにより２個の鎖錠ばね６２を同時に押圧して鎖錠を解除する解除釦６３とからなる。一方の端子板６１に電源側の電線を接続し、一方の端子板６１に負荷側の電線を接続すれば、負荷への給電をスイッチＳＷによってオンオフすることができる。
【０００５】
また、フランジ部１１の上面の筒部１２を挟んだ両側には、天井面をフランジ部１１との間に挟んでハウジングを固定するためのはさみ金具８が取り付けられる。はさみ金具８は、一側面が筒部１２に向けられた上下に長い直方体形状であって筒部１２から離れた側の一側面が開放された支柱８１と、支柱８１の長手方向の両端を貫通した引締めねじ８２と、一部が支柱８１に収納され支柱８１内部で引締めねじに螺合した挟み片８３とを備える。支柱８１の開口面に隣接する両側面の上端部には、開口に連通した切り欠き８１ａが設けられている。挟み片８３は、支柱８１の上端に位置しているときに切り欠き８１ａに挿通可能となっており、挟み片８３が切り欠き８１ａに挿通された状態から引締めねじ８２を回すと、挟み片８３が切り欠き８１ａから出て支柱８１の開口面に沿って下方へ移動するようになっている。引締めねじ８２は、フランジ部１１に設けられた貫通穴１１ｃからドライバを挿入して回転させることができるようになっており、フランジ部１１の上面を天井面に当接させた状態で引締めねじ８２を回転させると、挟み片８３が切り欠き８１ａから出てフランジ部１１に近付く方向に移動し、挟み片８３とフランジ部１１との間に天井面を挟持することができる。また、フランジ部１１のはさみ金具８が取り付けられる部位の近傍には、天井面へフランジ部１１を直付けするためのねじや、天井に埋め込まれたボックスに結合するねじを挿通するためのねじ挿通穴１１ｄが貫設されている。さらに、ハウジングには、天井面との間でフランジ部１１を覆う化粧プレート５が取り付けられる。化粧プレート５には、回転体７を露出させる貫通穴５１を貫設してある。
【０００６】
回転体７は、半球形状であって検知範囲からの熱線を熱線センサの受光面に集光する集光レンズ７１と、熱線センサＴＰが実装された第３のプリント配線板Ｐ３と、半球形状であって第３のプリント配線板Ｐ３が内側に取り付けられ集光レンズ７１に結合して球形を形成する回転枠７２と、集光レンズ７１と回転枠７２との結合部を覆う環状の保持枠７３とからなる。フランジ部１１の中央部には、集光レンズ７１を露出させる窓穴（図示せず）が上下に貫設されている。また、回転体７の上側には、両端が取付ねじＳＣによってフランジ部１１にねじ止めされた押さえ金具９の中間部が位置している。押さえ金具９と回転体７との間には、回転体７をフランジ部１１に押し付けるコイルばねＳＰが挿入されている。さらに、回転枠７２の外面の開口を挟んだ２箇所にはそれぞれ円柱形状の軸部７２ａが突設され、この軸部７２ａがフランジ部１１の上面の窓穴を挟んだ２箇所に形成され窓穴に連通した凹部（図示せず）に収納されることにより、回転体７は軸部７２ａの回りに回転可能となっている。回転体７を回転させて集光レンズ７１の向きを変えることにより、検知範囲を変化させることができるのである。
【特許文献１】特開２００３−７１８０号公報（第４−６頁、第２図）
【発明の開示】
【発明が解決しようとする課題】
【０００７】
しかし、上記構成では、回転体７をハウジングに回転自在に保持するための部材として回転体７の上側に設けた取付ねじＳＣ等によってフランジ部１１にねじ止めされた押さえ金具９が必要であって、更にこの押さえ金具９と回転体７との間には、回転体７をフランジ部１１に押し付けるコイルばねＳＰが挿入されているようにこれらの部材を組み付けて製造するときにコイルばねＳＰの反発力や変形等によって組立てが困難になってしまうという問題があった。
【０００８】
本発明は上記自由に鑑みて為されたものであり、その目的は、組立て製造が容易な熱線センサ付き自動スイッチを提供することにある。
【課題を解決するための手段】
【０００９】
請求項１の発明は、人体から発せられる熱線を検知する熱線センサと、電源から負荷への給電路に挿入され熱線センサの出力に応じてオンオフされるスイッチと、検知範囲からの熱線を熱線センサの受光部に集光する集光レンズを有するレンズブロックと、集光レンズを露出させる窓穴を有し検知範囲を変化させるように回転自在にレンズブロックを保持するとともに内部にスイッチと熱線センサとが収納固定されたハウジングとを備えた熱線センサ付き自動スイッチであって、前記レンズブロックが、集光レンズを取着した回転部と、該回転部を所定角度に保持する回転保持部と、これら回転部と回転保持部を内部に回転自在に収納し、かつ前記ハウジングに固定されるレンズブロック固定部からなることを特徴とする。
【００１０】
この構成によれば、回転部を含むレンズブロックがレンズブロック固定部によって一組のブロックとして扱え、ハウジングにこのレンズブロック固定部を取り付けるだけで回転部材を組み立てることができ、ばねを介して押さえ金具によって固定する場合に比べ、レンズブロックの組立て製造が非常に容易になって熟練した作業者でなくても簡単に熱線センサを組立て製造することができ、自動機等による自動組立てをすることも比較的容易にできる。
【００１１】
請求項２の発明は、請求項１の発明において、回転部の外周面と回転保持部の内周面の各々を両者が面接触する球面形状にすることを特徴とする。
【００１２】
この構成によれば、回転部が回転保持部と球面で面接触し制動がかかった状態で回転するため、回転部が安易に回り過ぎることなく、所定の位置で確実に保持できるため、安定した範囲検知を行うことができる。
【００１３】
請求項３の発明は、請求項１の発明において、回転保持部にハウジング側へ回転部を押圧するばね部を一体に形成したことを特徴とする。
【００１４】
この構成によれば、回転部をハウジングの窓穴に対して確実に押圧し位置決めすることができ、回転体と別体のコイルばねを用いた押さえ金具によって回転部を押圧し位置決めするものに比べて、部品点数が少なく簡単な構成となり組立製作が容易にできる。
【００１５】
請求項４の発明は、請求項３の発明において、外力によって前記ばね部が撓んだときにばねが塑性変形することを防止するための突起を前記回転保持部に設けたことを特徴とする。
【００１６】
この構成によれば、レンズブロックの回転調整時に回転保持部のばね部が外力によって撓んだとしても、前記突起がレンズブロック固定部の底面に当たり、ばねへ過大な過負荷がかからないようになり、ばねの塑性変形を防止することができ、回転部を安定してハウジングの窓穴に押圧することができる。
【発明の効果】
【００１７】
本発明は、回転部を含むレンズブロックがレンズブロック固定部によって一組のブロックとして扱え、ハウジングにこのレンズブロック固定部を取り付けるだけで回転部材を組み立てることができ、別部材のばねを介して押さえ金具によって回転部材を固定する場合に比べ、組立て製造が容易になって熟練した作業者でなくても簡単に組立て製造することができ、自動機等による自動組立てをすることも比較的容易にできる。
【発明を実施するための最良の形態】
【００１８】
以下、本発明を実施するための最良の形態について、図面を参照しながら説明する。なお、以下では天井に取り付けられる熱線センサ付き自動スイッチを例に挙げて説明するが、本発明は例えば壁面に取り付けられる熱線センサ付き自動スイッチにも適用可能である。
【００１９】
本実施形態の基本構成は従来例と共通であるので、共通する部分については同じ符号を付して説明を省略し、異なる部分についてのみ説明する。
【００２０】
本実施形態は、熱線センサＴＰを第２のプリント配線板Ｐ２に実装するとともに、集光レンズ３１を備え検知範囲を変化させるようにハウジングに対して回転自在に保持されるレンズブロック３（図２）を、回転体に代えて設けたものである。            
【００２１】
詳しく説明すると、レンズブロック３は、半球形状に形成された集光レンズ３Ａと、集光レンズ３Ａによって一端が閉塞される筒状の回転部２Ａとこの回転部２Ａを回転自在にして所定の位置に傾けた状態で安定して保持する回転保持部１Ａと、これらの回転部２、回転保持部１Ａを回転可能な状態で内部に収納したレンズブロック固定部４Ａとから構成されており、前記レンズブロック固定部４Ａはハウジング１（フランジ部１１）の取付け穴１５に係合爪４００を係合することによってハウジング１に固定されている。この構成によれば、回転部２Ａを含むレンズブロック３がレンズブロック固定部４Ａによって一組のブロックとして扱えるため回転するレンズ部材を簡単に組み立てることができる。
【００２２】
前記回転保持部１Ａは、全体にリング形状をしていて内周面が球面状に凹んだ形をしており、第３図に示すように上面に金属材料よりなるばね部１００を所定位置に設けていてハウジング１に固定されたときに、このばね部１００によって回転部２Ａを窓穴５１に押圧し位置決めした状態で配置できるようにしている。
回転部２Ａの外周面は、この回転部２Ａに囲まれた位置を中心とする球面形状に突出形成されている。また、回転部２Ａの外周面の球面形状の中心を挟む２箇所には、それぞれ軸が該球面の中心を通る円柱形状の軸突起が突設されている。
【００２３】
また前記回転保持部１Ａには、回転部２Ａの外周に設けた軸突起が中間位置に係合する係合穴１０２を両側部に設けていて、人が窓穴５１から露出した回転部２Ａを指で押して集光レンズ３Ａを傾けた位置の調整を行うときに、回転部２Ａと共に回転保持部１Ａも同時にレンズブロック固定部４Ａ内を一緒に側面３６０度回転できるようにしており、所要の回転位置で止めてさらに回転部２Ａを上下に傾けて検知範囲を調整することができるようになっている。
【００２４】
この回転させるときに回転部２Ａの外周面と回転保持部１Ａの内面が互いに係合する球面同士で面接触するように構成しているので、回転調整時において回転部２Ａに丁度良い制動力が発生し、むやみに回りすぎることがなく調整を容易にすることができる。
【００２５】
集光レンズ３Ａは、例えばフレネルレンズからなる多焦点レンズである。なお、集光レンズ３Ａの焦点と、熱線センサＴＰの受光面ＴＰ１の中心とは、ともに回転部２Ａの外周面の球面の中心に位置するようにしてあり、従ってレンズブロック３をどのように回転させても集光レンズ３Ａの焦点が常に熱線センサＴＰの受光面ＴＰ１の中心に位置するようになっている。
【００２６】
また本実施形態では、従来例におけるはさみ金具８と同様の構造に形成されたはさみ部１４をボディ１に連続一体に形成している。
【００２７】
また、化粧カバー５には４本の係合爪５２が突設され、この係合爪５２がフランジ部１に設けられた係合穴１１ｄに係合することによって化粧カバー５とボディ１とは結合す。その他の構成は、従来例と同様である。
【図面の簡単な説明】
【００２８】
【図１】本願発明の実施形態を示す要部分解斜視図である。
【図２】同上の分解斜視図である。
【図３】回転保持部を示す斜視図である。
【図４】同上の要部を示す断面図である。
【図５】同上の要部を示す断面図である。
【図６】従来例を示す分解斜視図である。
【符号の説明】
【００２９】
１
３  レンズブロック
１１ａ  窓穴
１３ｂ  保持切り欠き
３Ａ集光レンズ
ＳＷ  スイッチ
ＴＰ  熱線センサ
【図１】
2005135797.tif 000003
【図２】
2005135797.tif 000004
【図３】
2005135797.tif 000005
【図４】
2005135797.tif 000006
【図５】
2005135797.tif 000007
【図６】
2005135797.tif 000008